(57)【要約】【課題】複数の構成人員による集団に向けて、構成人員に関して検出した情報に基づいて情報を提供するサービスのもとで、構成人員ごとに対応して個別に必要な情報を提供可能とする。【解決手段】一定の空間において備えられ所定の対象を検出する１以上のセンサと、情報処理装置と、一定の空間に対応するユーザに対応するユーザ端末装置とを備え、情報処理装置は、センサから出力される検出情報を取得する検出情報取得部と、検出情報取得部により取得された検出情報に基づいて、複数のユーザごとに個別に設定された解析項目に対応する解析を実行する解析部と、ユーザごとの解析項目についての解析結果に基づく提供情報を所定のユーザ端末装置に出力する情報出力部とを備え、ユーザ端末装置は、情報出力部から出力された提供情報をユーザに提示するように出力する情報提示部を備えて情報提供システムを構成する。【選択図】図７
2019191970.tif 000002
【特許請求の範囲】
【請求項１】
一定の空間において備えられ、所定の対象を検出する１以上のセンサと、情報処理装置と、前記一定の空間に対応するユーザに対応するユーザ端末装置とを備え、
前記情報処理装置は、
前記センサから出力される検出情報を取得する検出情報取得部と、
前記検出情報取得部により取得された検出情報に基づいて、複数の前記ユーザごとに個別に設定された解析項目に対応する解析を実行する解析部と、
ユーザごとの前記解析項目についての解析結果に基づく提供情報を所定のユーザ端末装置に出力する情報出力部とを備え、
前記ユーザ端末装置は、
前記情報出力部から出力された提供情報をユーザに提示するように出力する情報提示部を備える
情報提供システム。
【請求項２】
前記情報出力部は、
前記解析部が解析した前記解析項目についての解析結果に基づく提供情報を、前記解析部が解析した前記解析項目が対応するユーザとは異なるユーザのユーザ端末装置に出力する
請求項１に記載の情報提供システム。
【請求項３】
前記検出情報取得部は、一定の撮像範囲の周囲環境を対象に撮像による検出を行うカメラを備える前記センサから出力される撮像画像を前記検出情報として取得する
請求項１または２に記載の情報提供システム。
【請求項４】
前記検出情報取得部は、収音による検出を行うマイクロフォンを備える前記センサから出力される音声信号を前記検出情報として取得する
請求項１から３のいずれか一項に記載の情報提供システム。
【請求項５】
前記検出情報取得部は、所定の生体情報を対象として検出する前記センサから出力される検出情報を取得する
請求項１から４のいずれか一項に記載の情報提供システム。
【請求項６】
前記検出情報取得部により取得された検出情報と、前記解析部による解析結果を示す情報との少なくともいずれか一方についての代表値の情報を記憶部に記憶させる記憶制御部を備える
請求項１から５のいずれか一項に記載の情報提供システム。
【請求項７】
一定の空間において備えられ、所定の対象を検出する１以上のセンサから出力される検出情報を取得する検出情報取得部と、
前記検出情報取得部により取得された検出情報に基づいて、複数のユーザごとに個別に設定された解析項目に対応する解析を実行する解析部と、
ユーザごとの前記解析項目についての解析結果に基づく提供情報を、前記一定の空間に対応するユーザに対応するユーザ端末装置のうちの所定のユーザ端末装置に出力する情報出力部と
を備える情報処理装置。
【請求項８】
コンピュータを、
一定の空間において備えられ、所定の対象を検出する１以上のセンサから出力される検出情報を取得する検出情報取得部、
前記検出情報取得部により取得された検出情報に基づいて、複数のユーザごとに個別に設定された解析項目に対応する解析を実行する解析部、
ユーザごとの前記解析項目についての解析結果に基づく提供情報を、前記一定の空間に対応するユーザに対応するユーザ端末装置のうちの所定のユーザ端末装置に出力する情報出力部
として機能させるためのプログラム。
【発明の詳細な説明】
【技術分野】
【０００１】
本発明は、情報提供システム、情報処理装置及びプログラムに関する。
【背景技術】
【０００２】
以下のような生体情報管理システムが知られている。つまり、生体情報管理システムは、家庭内外に設けられた複数の生体情報測定手段により測定された生体情報と被験者とを対応付けて記録する。生体情報管理システムは、記録された生体情報に基づいて、被験者の食事メニュー、運動メニュー、入浴メニューを提案する（例えば、特許文献１参照）。
【先行技術文献】
【特許文献】
【０００３】
【特許文献１】特開２０００−１２６１３８号公報
【発明の概要】
【発明が解決しようとする課題】
【０００４】
例えば同じ居住空間に家族が同居している場合、家族の構成人員は、父、母、子供、さらには祖父や祖母などのように性別、世代等が異なる。このため、生活のなかで構成人員に関して必要な情報は、構成人員ごとに異なる。このようなことを考慮すると、例えば家族等のような複数の構成人員による集団に向けて情報を提供するサービスのもとでは、構成人員ごとに対応して個別に必要な情報が提供されるようにすることが好ましい。
しかしながら、特許文献１の構成では、食事メニュー、運動メニュー、入浴メニュー等といった共通の項目について構成人員ごとに提案が行われるに留まっている。
【０００５】
本発明は、このような事情に鑑みてなされたもので、複数の構成人員による集団に向けて、構成人員に関して検出した情報に基づいて情報を提供するサービスのもとで、構成人員ごとに対応して個別に必要な情報が提供されるようにすることを目的とする。
【課題を解決するための手段】
【０００６】
上述した課題を解決するための本発明の一態様は、一定の空間において備えられ、所定の対象を検出する１以上のセンサと、情報処理装置と、前記一定の空間に対応するユーザに対応するユーザ端末装置とを備え、前記情報処理装置は、前記センサから出力される検出情報を取得する検出情報取得部と、前記検出情報取得部により取得された検出情報に基づいて、複数の前記ユーザごとに個別に設定された解析項目に対応する解析を実行する解析部と、ユーザごとの前記解析項目についての解析結果に基づく提供情報を所定のユーザ端末装置に出力する情報出力部とを備え、前記ユーザ端末装置は、前記情報出力部から出力された提供情報をユーザに提示するように出力する情報提示部を備える情報提供システムである。
【０００７】
本発明の一態様は、一定の空間において備えられ、所定の対象を検出する１以上のセンサから出力される検出情報を取得する検出情報取得部と、前記検出情報取得部により取得された検出情報に基づいて、複数のユーザごとに個別に設定された解析項目に対応する解析を実行する解析部と、ユーザごとの前記解析項目についての解析結果に基づく提供情報を、前記一定の空間に対応するユーザに対応するユーザ端末装置のうちの所定のユーザ端末装置に出力する情報出力部とを備える情報処理装置である。
【０００８】
本発明の一態様は、コンピュータを、一定の空間において備えられ、所定の対象を検出する１以上のセンサから出力される検出情報を取得する検出情報取得部、前記検出情報取得部により取得された検出情報に基づいて、複数のユーザごとに個別に設定された解析項目に対応する解析を実行する解析部、ユーザごとの前記解析項目についての解析結果に基づく提供情報を、前記一定の空間に対応するユーザに対応するユーザ端末装置のうちの所定のユーザ端末装置に出力する情報出力部として機能させるためのプログラムである。
【発明の効果】
【０００９】
以上説明したように、本発明によれば、複数の構成人員による集団に向けて、構成人員に関して検出した情報に基づいて情報を提供するサービスのもとで、構成人員ごとに対応して個別に必要な情報を提供可能になるという効果が得られる。
【図面の簡単な説明】
【００１０】
【図１】本実施形態における情報提供システムの構成例を示す図である。
【図２】本実施形態におけるセンサの構成例を示す図である。
【図３】本実施形態における情報処理装置の構成例を示す図である。
【図４】本実施形態におけるユーザ情報の一例を示す図である。
【図５】本実施形態におけるユーザ端末装置の構成例を示す図である。
【図６】本実施形態における情報処理装置が実行する処理手順例を示すフローチャートである。
【図７】本実施形態における情報処理装置が実行する処理手順例を示すフローチャートである。
【発明を実施するための形態】
【００１１】
［情報提供システムの全体構成例］
図１は、本実施形態における情報提供システム１の全体的な構成例を示している。同図の情報提供システム１は、居住空間１０（一定の空間の一例）において備えられるｎ個のセンサ１００（１００−１〜１００−ｎ）、情報処理装置２００、及び入出力装置３００を備える。また、情報提供システム１は、居住空間１０に居住するユーザＵ（Ｕ−１〜Ｕ−４）がそれぞれ所持するユーザ端末装置４００（４００−１〜４００−４）を備える。
【００１２】
本実施形態における居住空間１０は、具体的には住宅であればよい。この場合の居住空間１０としての住宅は、家屋内だけではなく、例えば住宅としての敷地内であれば、家屋の外の庭やエントランス等も含まれてよい。
【００１３】
同図では、居住空間１０に居住するユーザＵが、ユーザＵ−１〜Ｕ−４の４人である例を示している。具体的に、以下の説明では、４人のユーザＵは家族であって、ユーザＵ−１は父、ユーザＵ−２は母、ユーザＵ−３は子供、ユーザＵ−４は祖父（祖母でもよい）である場合を例に挙げる。
なお、同図では、ユーザＵ−２、ユーザＵ−４が居住空間１０内に存在しており、ユーザＵ−１、ユーザＵ−３が居住空間１０の外に存在している場合が示されている。これは、ユーザＵは、日常の生活において居住空間１０を出入りしており、かつ、ユーザ端末装置４００を所持していれば、居住空間１０の外であっても後述の提供情報の提供を受けることが可能であることを表している。
【００１４】
センサ１００は、それぞれ、居住空間における所定の場所に設置され、所定の検出項目についての検出を行う。具体的に、センサ１００−１〜１００−ｎのうちには、カメラ、マイクロフォン、各種の生体情報センサが含まれる。
【００１５】
カメラとしてのセンサ１００は、一定の撮像範囲の周囲環境を対象に撮像を行う。つまり、カメラとしてのセンサ１００は、設置された位置と方向に応じた視野範囲を検出対象として検出を行い、検出情報として撮像画像を得る。カメラとしてのセンサ１００は、良質な撮像画像を得るために、例えばデュアルカメラ等のように複数のカメラにより撮像された画像を利用して撮像画像を出力するようにされたものが使用されてよい。また、カメラとしてのセンサ１００には、例えば高精細の撮像画像が得られるラインセンサが使用されてもよい。
【００１６】
マイクロフォンとしてのセンサ１００は、周囲の音を対象に収音を行う。つまり、カメラとしてのセンサ１００は、設置された位置と設定された指向性に応じた周囲の音を検出対象として検出を行い、検出情報として音声信号を得る。
【００１７】
生体情報センサとしてのセンサ１００は、それぞれが所定の生体情報を検出する。生体情報センサとしてのセンサ１００には、体重や体脂肪率等を測定する体組成センサ、においを検出するにおいセンサ等が含まれる。
さらに、生体情報センサとしてのセンサ１００には、例えばサーモグラフィ等を用いて体温を測定する体温センサ、ミリ波レーダを用いて単位時間あたりの心拍数を検出する心拍センサ、赤外線を用いて血中酸素濃度を検出する血中酸素濃度センサ、ミリ波レーダを用いて単位時間あたりの呼吸数を検出する呼吸数センサが含まれてよい。さらに、生体情報センサとしてのセンサ１００には、尿や便から所定の検査項目を検出する尿便センサが含まれてよい。
【００１８】
センサ１００は、それぞれ、自己が検出して得られた検出情報を、情報処理装置２００に送信（出力）する。センサ１００と情報処理装置２００との通信は、有線であってもよいし、近距離無線通信であってもよい。
【００１９】
情報処理装置２００は、センサ１００から送信された検出情報に基づいて、ユーザＵごとに所定の項目に対応する解析を行う。情報処理装置２００は、解析結果に基づいて、所定のユーザＵに提供情報を生成する。
提供情報は、少なくとも１の所定のユーザＵに提供すべき情報である。提供情報の具体例については後述する。
【００２０】
情報処理装置２００は、生成した提供情報を所定のユーザ端末装置４００に送信（出力）する。
情報処理装置２００からユーザ端末装置４００への提供情報の送信は、ゲートウェイＧＷを介して行われる。同図のゲートウェイＧＷは、無線ＬＡＮルータと、外部のネットワークＮＷとの間で通信を行うための中継器を有する。
例えば、ユーザ端末装置４００が居住空間１０内に存在している場合には、情報処理装置２００から送信された提供情報は、ゲートウェイＧＷが有する無線ＬＡＮルータを経由して、居住空間１０内のユーザ端末装置４００に送信される。また、ユーザ端末装置４００が居住空間１０の外に存在している場合には、情報処理装置２００から送信された提供情報は、ゲートウェイＧＷが有する中継器からネットワークＮＷを介して、居住空間１０の外のユーザ端末装置４００に送信される。
【００２１】
また、情報処理装置２００は入出力装置３００と接続される。入出力装置３００は、情報処理装置２００に対してユーザが入力操作を行うことのできる入力装置として機能する。また、入出力装置３００は、情報処理装置２００から送信された提供情報を居住空間１０内のユーザＵに向けて提示するように出力してもよい。入出力装置３００による提供情報の提示は、表示や音声によって行われてよい。
入出力装置３００は、例えばマウス、キーボード、タッチパネル、マイクロフォンなどの入力装置、表示装置、音出力装置（音声信号増幅回路、スピーカ等を含む）等であってもよい。また、入出力装置３００は、スマートスピーカー等であってもよい。
【００２２】
ユーザ端末装置４００は、情報処理装置２００から送信される提供情報を受信し、受信された提供情報を表示、音声等により出力する。これにより、ユーザＵに対して情報の提供が行われる。また、ユーザＵは、ユーザ端末装置４００に対する操作によって、情報提供システムにおいて必要な各種設定に関する操作を行うことができる。このようなユーザ端末装置４００の提供情報の出力や、各種設定に関する操作等の機能は、ユーザ端末装置４００にインストールされた情報提供アプリケーションによって実現される。
【００２３】
［センサの構成例］
図２は、センサ１００の構成例を示している。同図のセンサ１００は、検出部１０１、通信部１０２を備える。
【００２４】
検出部１０１は、検出対象を検出し、検出結果を示す検出情報を出力する。センサ１００がカメラである場合、検出部１０１は、レンズ、撮像素子等を備え、撮像を行って撮像画像としての検出情報を得る。この場合において、検出部１０１は、前述のように、デュアルカメラやラインセンサ等を備えてよい。
また、センサ１００がマイクロフォンである場合、検出部１０１は、収音を行って音声信号としての検出情報を得る。
【００２５】
通信部１０２は、情報処理装置２００と通信を行うことで、検出部１０１から出力された検出信号を、情報処理装置２００に送信する。通信部１０２は、有線による通信に対応する構成であってもよいし、無線通信に対応する構成であってもよい。無線通信としては、例えば、Ｂｌｕｅｔｏｏｔｈ（登録商標）等をはじめとする所定の近距離無線通信を採用してよい。
【００２６】
［情報処理装置の構成例］
図３は、情報処理装置２００の構成例を示している。同図の情報処理装置２００は、センサ対応通信部２０１、ネットワーク対応通信部２０２、入出力インターフェース部２０３、制御部２０４、及び記憶部２０５を備える。
【００２７】
センサ対応通信部２０１は、センサ１００と通信を行う。
ネットワーク対応通信部２０２は、ゲートウェイＧＷを介してネットワークＮＷに対応する通信を行う。
【００２８】
センサ対応通信部２０１とネットワーク対応通信部２０２は、それぞれの通信に対応する回路を備える。
入出力インターフェース部２０３は、ユーザインターフェースに対応して情報処理装置２００と外部装置との間で情報の入出力を行う。図１との対応では、入出力インターフェース部２０３は、入出力装置３００と接続される。
【００２９】
制御部２０４は、情報処理装置２００における各種制御を実行する。制御部２０４としての機能は、情報処理装置２００において備えられるＣＰＵ（Central Processing Unit）がプログラムを実行することにより実現される。
同図の制御部２０４は、検出情報取得部２４１、検出情報加工部２４２、個人認識部２４３、解析部２４４、及び情報出力部２４５を備える。
【００３０】
検出情報取得部２４１は、センサ１００から出力される検出情報を取得する。センサ１００から送信された検出情報は、センサ対応通信部２０１にて受信される。検出情報取得部２４１は、センサ対応通信部２０１にて受信された検出情報を取得する。
【００３１】
検出情報加工部２４２は、検出情報取得部２４１により取得された検出情報のうちの所定の検出情報について加工を行う。
加工の具体例として、検出情報加工部２４２は、撮像画像としての検出情報については、解析部２４４による解析の対象となる被写体（人物、食物等）の抽出を行ってよい。また、検出情報加工部２４２は、被写体の抽出にあたり、例えば異なるカメラ（センサ１００）により得られた複数の撮像画像や、異なる時刻に撮像して得られた複数の撮像画像から、良質な画像の被写体を抽出するようにしてよい。
また、検出情報加工部２４２は、音声信号としての検出情報については、例えばノイズの除去、解析部２４４による解析の対象となる音声信号成分の抽出等を行ってよい。
また、検出情報加工部２４２は、生体情報センサとしてのセンサ１００からの検出情報についてもノイズの除去等を行ってよい。
【００３２】
個人認識部２４３は、検出情報取得部２４１により取得された検出情報、（検出情報加工部２４２による加工後の検出情報も含む）のうちの所定の検出情報を利用して個人認識を実行する。ここでの個人認識は、居住空間１０に居住するユーザＵごとの個人を認識する処理となる。個人認識部２４３は、撮像画像としての検出情報から抽出された人物の画像に基づいて個人認識を行うことができる。人物の画像に基づく個人認識は、顔画像に基づく個人認識であってもよいし、全身画像に基づく個人認識であってもよい。
また、個人認識部２４３は、音声信号としての検出情報から抽出された人の音声の成分に基づいて個人認識を行うことができる。また、個人認識部２４３は、においセンサとしてのセンサ１００により検出されたにおいについての検出情報に基づいて個人認識を行うことができる。図１の例では、個人認識部２４３は、４人のユーザＵ−１〜Ｕ−４ごとに対応する個人を認識する。
【００３３】
個人認識部２４３は、個人認識にあたり、例えば個人ごとの性別、身長、年齢層等も認識してよい。この場合、個人認識部２４３は、認識した個人ごとの性別、年齢層等に基づいて、父、母、子供（息子、娘）、祖父等のように、認識した個人のそれぞれを、家族を構成する人員のいずれに該当するのかについても認識するようにされてよい。
【００３４】
解析部２４４は、検出情報取得部２４１により取得された検出情報（検出情報加工部２４２による加工後の検出情報も含む）に基づいて、複数のユーザＵごとに個別に設定された解析項目に対応する解析を実行する。
情報出力部２４５は、ユーザＵごとの解析項目についての解析結果に基づく提供情報を所定のユーザ端末装置４００に出力する。
ユーザごとに個別に対応付けられる解析項目と、解析結果に基づいて情報出力部２４５が出力する提供情報は、例えば健康等に関連するものを挙げることができるが、具体例については後述する。
【００３５】
記憶部２０５は、記憶装置を備えて構成され、情報処理装置２００に対応する各種の情報を記憶する。同図の記憶部２０５は、検出情報記憶部２５１、解析情報記憶部２５２、ユーザ情報記憶部２５３、及び検出解析履歴記憶部２５４を備える。
【００３６】
検出情報記憶部２５１は、検出情報取得部２４１により取得された検出情報（検出情報加工部２４２による加工により得られる検出情報も含む）を記憶する。検出情報記憶部２５１により、時系列に応じた検出情報が蓄積されることで、解析部２４４は、検出情報取得部２４１により随時取得される検出情報に基づくリアルタイム性を有する解析だけではなく、過去から現在までにおける検出情報を利用した解析も実行することができる。
解析情報記憶部２５２は、解析部２４４による解析結果の情報を記憶する。
【００３７】
ユーザ情報記憶部２５３は、ユーザＵごとのユーザ情報を記憶する。
図４は、ユーザ情報記憶部２５３が記憶するユーザ情報の一例を示している。同図には、ユーザＵ−１〜Ｕ−４ごとに対応するユーザ情報の例が示されている。同図における１レコード（１行）が１のユーザＵに対応するユーザ情報である。１のユーザＵに対応するユーザ情報は、ユーザ識別子、ユーザ特徴量、ユーザプロフィール、及びフィードバック設定情報の各領域を含む。
ユーザ識別子の領域は、対応のユーザを示すユーザ識別子を格納する。
ユーザ特徴量の領域は、対応のユーザについての個人認識に対応する特徴量を格納する。
【００３８】
個人認識部２４３は、例えばセンサ１００により検出された撮像画像、音声、におい等から抽出した特徴量に基づいて個人認識処理を実行した結果、或るユーザＵとしての個人を認識すると、認識した個人についてユーザ識別子を付与する。ユーザ情報におけるユーザ識別子の領域には、対応のユーザＵについて認識を行った際に付与したユーザ識別子が格納され、特徴量の領域には、対応のユーザＵについて認識を行った際に抽出された特徴量が格納される。なお、特徴量の領域に格納される特徴量の情報については、ユーザＵの加齢等に応じた変化に応じて適宜更新されてよい。
【００３９】
また、同図において、ユーザプロフィールの領域は、ユーザプロフィールの情報を格納する。ユーザプロフィールの領域に格納されるユーザプロフィールの情報には、例えば家族構成におけるいずれの人員であるのかを示す人員区分（即ち、父、母、子供（息子、娘）、祖父等のいずれであるのかを示す情報）、性別、年齢（もしくは年齢層）等のユーザＵに関する基本的な情報が格納されてよい。
このようなユーザプロフィールの情報における人員区分、性別、年齢等の情報は、ユーザＵによる入出力装置３００に対する操作やユーザ端末装置４００に対する操作によって入力が行われることにより取得されてよい。この場合には、例えば入出力装置３００あるいはユーザ端末装置４００にて、個人認識部２４３により認識されたユーザＵの顔画像を表示するとともに、表示された顔画像に対応するユーザＵのユーザプロフィールを入力する入力画面を表示する。ユーザＵは、入力画面に対して人員区分、性別、年齢等の情報を入力する操作を行う。また、この場合には、ユーザプロフィールの情報の１つとして、ユーザＵの名前（ニックネームでもよい）等も入力可能なようにできる。
【００４０】
フィードバック設定情報の領域は、対応のユーザＵに対応する提供情報の提示の設定に関する情報（フィードバック設定情報）を格納する。フィードバック設定情報は、例えば対応のユーザＵに関して、どのような解析項目が設定されており、解析項目ごとに対応する提供情報の通知（提供）を、いずれのユーザ端末装置４００に対して行うべきかを示す情報である。
【００４１】
同図においては、１のユーザＵに対応するフィードバック設定情報の一例が示される。同図においては、解析項目１、解析項目２、解析項目３ごとに対応する３つのフィードバック設定情報が格納された例を示している。１つのフィードバック設定情報は、解析項目に通知先情報が対応付けられている。なお、１つのフィードバック設定情報における通知先情報は、複数のユーザ端末装置４００が通知先として示されていてもよい。
【００４２】
説明を図３に戻す。検出解析履歴記憶部２５４は、検出解析履歴を記憶する。検出解析履歴には、過去に得られた検出情報と解析結果に関連する情報（解析結果関連情報）を記憶する。解析結果関連情報としては、解析部２４４による解析結果を示す情報であってもよいし、解析結果に基づく提供情報であってもよい。
検出解析履歴記憶部２５４は、例えばこれまでに得られた検出情報や解析結果関連情報の全てを蓄積してもよい。しかしながら、記憶部２０５に対応する記憶装置の記憶容量の制限などで、これまでに得られた検出情報や解析結果関連情報の全てを蓄積することが難しい場合がある。
そこで、制御部２０４（記憶制御部の一例）は、例えば、検出情報や解析結果関連情報についての代表値の情報（代表検出解析履歴）を検出解析履歴記憶部２５４に記憶させてもよい。このような代表検出解析履歴としては、一定期間ごとの平均値、移動平均値、一定期間ごとにおいて顕著な変化を示した時点での値等であってよい。このような代表値に相当する情報を検出解析履歴として記憶するようにすれば、検出解析履歴記憶部２５４に対応する記憶装置の記憶容量の節約を図ることができる。
制御部２０４は、例えばユーザ端末装置４００からの要求に応じて、検出解析履歴記憶部２５４に記憶された代表検出解析履歴を、ユーザ端末装置４００に送信してよい。ユーザ端末装置４００は、受信された代表検出解析履歴を、例えば時系列に応じた変化が提示されるように出力してよい。一例として、ユーザＵは、自分もしくは他のユーザの過去の健康状態に関する状態を示す検出解析履歴を要求するための操作をユーザ端末装置４００に行って、ユーザ端末装置４００にて過去の健康状態に関する状態を表示させることができる。これにより、ユーザは、自分もしくは他のユーザに関する過去の健康状態を手軽に把握できる。
【００４３】
図５は、ユーザ端末装置４００は、通信部４０１、制御部４０２、記憶部４０３、入力インターフェース部４０４、及び出力インターフェース部４０５を備える。
【００４４】
通信部４０１は、ネットワークＮＷ経由で通信を実行する。
【００４５】
制御部４０２は、ユーザ端末装置４００における各種の制御を実行する。制御部４０２としての機能は、ユーザ端末装置４００が備えるＣＰＵがプログラムを実行することにより実現される。
同図の制御部４０２は、アプリケーション対応処理部４２１（情報提示部の一例）を備える。アプリケーション対応処理部４２１は、ユーザ端末装置４００にインストールされた情報提供アプリケーションに対応する各種機能を実行する。即ち、アプリケーション対応処理部４２１としての機能は、ユーザ端末装置４００が備えるＣＰＵが、インストールされた情報提供アプリケーションのプログラムを実行することによって実現される。
【００４６】
アプリケーション対応処理部４２１は、情報処理装置２００から受信した提供情報を表示や音声等によってユーザＵに向けて出力する。また、アプリケーション対応処理部４２１は、情報提供システムにおいて必要な各種設定に関して行われる操作を受け付ける。アプリケーション対応処理部４２１は、受け付けた操作に応じた設定内容を示す情報を情報処理装置２００に送信する。情報処理装置２００は受信した情報が示す設定内容を記憶部２０５に記憶させる。このようにして設定される情報には、例えばユーザ情報記憶部２５３が記憶するユーザプロフィールにおける所定の項目の情報等が含まれる。また、アプリケーション対応処理部４２１は、受け付けた操作に応じた設定内容によっては、自己の記憶部４０３に記憶させてよい。
【００４７】
記憶部４０３は、情報提供アプリケーションのプログラム等をはじめ、ユーザ端末装置４００に対応する各種の情報を記憶する。
【００４８】
入力インターフェース部４０４は、ユーザインターフェースにおける入出力のうち、入力に対応する部位である。入力インターフェース部４０４は、例えばユーザ端末装置４００が備える各種の物理的なキーや入力デバイスを含む。入力デバイスには、タッチパネル、マイクロフォン、カメラ等が含まれてよい。
【００４９】
出力インターフェース部４０５は、ユーザインターフェースにおける入出力のうち、入力に対応する部位である。出力インターフェース部４０５は、例えばユーザ端末装置４００が備える表示装置、音声出力部（音声信号増幅回路、スピーカ、イヤホン端子等）が含まれてよい。
【００５０】
［処理手順例］
図６のフローチャートを参照して、情報処理装置２００がセンサ１００から送信された検出情報の受信に応じて実行する処理手順例を示すフローチャートである。なお、同図の処理は、居住空間１０に対応する家族を構成する全ての人員ごとに対応するユーザ情報がユーザ情報記憶部２５３に記憶済みとされている状態のもとで行われる。また、同図の処理は、例えば予め定められた一定時間ごとに実行される。
【００５１】
ステップＳ１０１：情報処理装置２００において、検出情報取得部２４１は、各センサ１００から送信された検出情報を取得する。
【００５２】
ステップＳ１０２：個人認識部２４３は、ステップＳ１０２により取得された検出情報が個人を認識可能なものである場合には、取得された検出情報に基づく個人認識を実行する。具体例として、取得された検出情報が撮像画像である場合には、撮像画像に人物の画像が含まれていれば個人認識が可能である。また、音声信号に人の発した声が含まれていれば個人認識が可能である。また、においセンサにより検出された人のにおいに基づいて個人認識が可能である。
ステップＳ１０２における個人認識は、取得された検出情報に対応するユーザＵが、ユーザ情報記憶部２５３に記憶されたユーザ情報において示される家族の人員のいずれであるのかを認識する処理となる。このために、個人認識部２４３は、取得された検出情報から抽出した特徴量と、ユーザ情報に格納されるユーザＵごとのユーザ特徴量との類似度を求め、一定以上の類似度が得られたユーザ特徴量に対応する人員が、今回取得された検出情報に対応するユーザＵであると認識する。なお、ステップＳ１０２においては、同時に複数のユーザＵが認識されてよい。
【００５３】
ステップＳ１０３：検出情報取得部２４１は、ステップＳ１０１により取得された検出情報が、ステップＳ１０２にて認識された個人に応じた解析に必要な情報であるか否かの弁別を行う。
例えば、検出情報取得部２４１は、ユーザ情報記憶部２５３が記憶するユーザＵごとのフィードバック設定情報を参照することで、ユーザＵごとに対応して行うべき解析に必要な検出情報の種別を特定する。検出情報取得部２４１は、ステップＳ１０２により検出された検出情報のうち、ステップＳ１０２にて認識した個人に対応して行うべき解析に必要な検出情報と同じものについては必要であると弁別し、異なるものについては不要であると弁別する。
そのうえで、検出情報取得部２４１は、不要であると判定した検出情報については廃棄してよい。
【００５４】
ステップＳ１０４：検出情報加工部２４２は、ステップＳ１０３にて必要であると弁別した検出情報のうちで加工が必要なものについて加工を行う。検出情報の加工としては、例えば前述のように、撮像画像からの解析に必要な被写体の抽出、良質な画像の抽出、尾解析対象となる音声信号成分の抽出、ノイズ除去、生体情報センサとしてのセンサ１００からの検出情報についてのノイズ除去等を挙げることができる。
【００５５】
ステップＳ１０５：検出情報取得部２４１は、ステップＳ１０３により必要であると弁別された検出情報を、ステップＳ１０２にて認識された個人に対応させて検出情報記憶部２５１に記憶させる。なお、検出情報取得部２４１は、ステップＳ１０５において、ステップＳ１０３により不要であると弁別された検出情報についても破棄することなく、検出情報記憶部２５１に記憶させてよい。
【００５６】
なお、検出情報加工部２４２による検出情報の加工は、ステップＳ１０２による個人認識に利用する検出情報を対象として、ステップＳ１０４より前のステップＳ１０２にて事前に実行してよい。
【００５７】
図７のフローチャートを参照して、情報処理装置２００が提供情報の出力に関連して実行する処理手順例について説明する。同図の処理は、１のユーザＵに対応する提供情報のうち、所定の１つの解析項目（図４）に対応する提供情報の出力に関連して実行される処理となる。
ステップＳ２０１：まず、解析部２４４は、ユーザ情報記憶部２５３が記憶するフィードバック設定情報のうちから、対象となるユーザのフィードバック設定情報を参照する。
ステップＳ２０２：解析部２４４は、ステップＳ２０１により参照したフィードバック設定情報に基づいて、今回において対象のユーザＵに対応して、今回、解析部２４４が対象とすべき解析項目の解析に必要な検出情報の種別を判定する。解析部２４４は、検出情報記憶部２５１に記憶されている、対象のユーザに対応付けられている検出情報のうちから、解析に必要であると判定した種別の検出情報を取得する。
ステップＳ２０３：解析部２４４は、ステップＳ２０２により取得された検出情報を利用して解析を実行する。
ステップＳ２０４：解析部２４４は、ステップＳ２０３による解析結果を示す情報を、解析情報記憶部２５２に記憶させる。
ステップＳ２０５：情報出力部２４５は、提供情報を出力する。つまり、情報出力部２４５は、ステップＳ２０４により記憶された解析結果に基づいて、対象のユーザについての提供情報を生成する。情報出力部２４５は、生成した提供情報を、所定のユーザ端末装置４００に送信する。ここで、情報出力部２４５は、ステップＳ２０１により参照したフィードバック設定情報において、今回解析の対象とされた解析項目に対応付けられた通知先情報により示されるユーザ端末装置４００に対して提供情報を送信する。
【００５８】
［提供情報出力の具体例］
（第１例）
図６及び図７に示される処理によっては、情報処理装置２００における解析部２４４は、例えば、ユーザＵごとについて、健康状態、食事状態、ストレス状態、成長状態、美容状態等を解析することができる。そのうえで、情報出力部２４５は、健康状態、食事状態、ストレス状態、成長状態、美容状態等の解析結果を示す情報を提供情報として出力できる。また、情報出力部２４５は、上記の各種状態の解析結果に基づいて、状態を改善するための提案に関する情報を提供情報として出力できる。
【００５９】
具体例の１つとして、父であるユーザＵ−１に関して、フィードバック設定情報について、健康状態として、特に生活習慣病に関する診断に応じた解析項目が設定された場合を例に挙げる。また、同じフィードバック設定情報における通知先情報が示す通知先は、例えば父であるユーザＵ−１本人のユーザ端末装置４００−１として設定されている場合を例に挙げる。
【００６０】
このようなフィードバック設定情報は、例えば父であるユーザＵ−１が自己の生活習慣病予防に意識的であったために、ユーザＵ−１自信が、ユーザ端末装置４００−１や入出力装置３００に対する操作を行うことによって設定することができる。あるいは、情報処理装置２００が、ユーザＵ−１に対応して記憶されたユーザ情報におけるユーザプロフィールの情報において示される年齢層等の情報に基づいて、このようなフィードバック設定情報を設定してもよい。あるいは、情報処理装置２００が、学習処理等に基づいて、これまでのユーザＵ−１に対応して得られた検出情報に基づいて判定した生活習慣が良質なものでないと判定したことに対応して、このようなフィードバック設定情報を設定してもよい。
【００６１】
この場合、情報処理装置２００の検出情報取得部２４１は、父であるユーザＵ−１であると認識された個人に対応して、体組成（体重、体脂肪率等）、心拍数、血圧計により測定された血圧、等の検出情報を解析に必要な検出情報として検出情報記憶部２５１に記憶させる。
また、この場合の検出情報取得部２４１は、生活習慣病予防のための食生活改善に対応して、ユーザＵ−１の食事を撮像した撮像画像も取得してよい。
【００６２】
そのうえで、解析部２４４は、上記のように記憶された検出情報について解析を行い、例えば、生活習慣病としての症状の程度等について判定する。
また、解析部２４４は、食事の撮像画像を利用して、食事のメニュー内容、カロリー、栄養素バランス、水分量、塩分量等についても解析を行ってよい。本実施形態において、撮像画像として、例えば前述のようにデュアルカメラやラインセンサにより撮像されたものを利用したり、加工を行うなどして良質なものを得ることで、解析部２４４が行う食事の内容の特定等についての精度を高めることが可能になる。このような食事に関する解析結果は、例えば食生活の側面からの生活習慣病への影響を判定することができる。
情報出力部２４５は、解析部２４４の解析結果に基づいて、判定された症状の程度と、症状の程度に応じた改善提案の内容（食事内容等も含まれてよい）とを提示する提供情報を生成する。情報出力部２４５は、生成した提供情報を、対応のフィードバック設定情報における通知先情報が示す通知先である、ユーザＵ−１（父）のユーザ端末装置４００−１に対して送信する。
ユーザＵ−１（父）は、受信された提供情報をユーザ端末装置４００−１にて表示させ、表示された内容を確認することで、自分の症状や改善策などを手軽に知ることができる。
【００６３】
（第２例）
また、例えばユーザＵ−１（父）などは、仕事などでストレスが与えられやすい環境にある。
そこで、具体例の１つとして、ユーザＵ−１（父）に対応するフィードバック設定情報として、ユーザＵ−１（父）のストレス状態の診断に関する解析項目を設定することができる。また、この場合のフィードバック設定情報における通知先情報としては、ユーザＵ−２（母）である場合を例に挙げる。つまり、この場合のフィードバック設定情報は、ユーザＵ−１（父）のストレス状態を、妻であるユーザＵ−２（母）が看視するという状況に対応して設定されたものである。
【００６４】
この場合、情報処理装置２００の検出情報取得部２４１は、ユーザＵ−１（父）であると認識された個人に対応して、ユーザＵ−１が含まれる撮像画像、ユーザＵ−１の音声信号、ユーザＵ−１について検出された心拍数、呼吸数等のように、ストレス状態の判定材料として利用する検出情報を検出情報記憶部２５１に記憶させる。
この場合、撮像画像については、ユーザＵ−１の顔画像から抽出される表情からストレス状態を判定できる。また、音声信号については、ユーザＵ−１の声の調子などからストレス状態を判定できる。また、心拍数、呼吸数等についての乱れの状態などによりストレス状態を判定できる。
【００６５】
そのうえで、解析部２４４は、上記のように記憶された検出情報について解析を行い、ストレス状態を判定する。
情報出力部２４５は、解析部２４４の解析結果に基づいて、例えば判定されたストレス状態（さらにストレス解消のための対策を示す情報が含まれてよい）を示す提供情報を生成する。情報出力部２４５は、生成した提供情報を、対応のフィードバック設定情報における通知先情報が示す通知先である、ユーザＵ−２（母）のユーザ端末装置４００−２に対して送信する。
ユーザＵ−１（母）は、受信された提供情報をユーザ端末装置４００−２にて表示させ、表示された内容を確認することで、自分の夫であるユーザＵ−２（父）のストレス状態を手軽に把握することができる。
【００６６】
（第３例）
また、家族において、親にとっては、子供の身体的成長が順調であるかどうかが気になる。そこで、具体例の１つとして、ユーザＵ−３（子供）に対応するフィードバック設定情報として、ユーザＵ−３（子供）の成長状態の診断に関する解析項目を設定することができる。また、この場合のフィードバック設定情報における通知先情報としては、親であるユーザＵ−１（父）及びユーザＵ−２（母）である場合を例に挙げる。
【００６７】
この場合、情報処理装置２００の検出情報取得部２４１は、ユーザＵ−３（子供）であると認識された個人に対応して、ユーザＵ−３が含まれる撮像画像、ユーザＵ−１の体重等のように、身体的成長の判定材料として利用する検出情報を検出情報記憶部２５１に記憶させる。この場合、解析部２４４は、撮像画像におけるユーザＵ−３の全身の画像に基づいて身長を推定できる。
【００６８】
解析部２４４は、上記のように記憶された検出情報に基づいて推定した身長、体重と、過去において推定された身長、体重と、ユーザ情報におけるユーザプロフィールの情報が示す年齢等の情報に基づいて、ユーザＵ−３（子供）の成長に関する解析を行う。例えば、解析部２４４は、日数経過に応じた成長状態が順調であるかどうかを判定することができる。また、解析部２４４は、成長に関する解析と併せて、撮像画像に基づいてユーザＵ−３（子供）の食事に関する情報（メニュー内容、カロリー、栄養素バランス、水分量、塩分量、食事の摂取時間）等を判定し、成長の状態と関連付けてもよい。
【００６９】
情報出力部２４５は、解析部２４４の解析結果に基づいて、子供の成長に関する情報を示す提供情報を生成する。情報出力部２４５は、生成した提供情報を、対応のフィードバック設定情報における通知先情報が示す通知先である、ユーザＵ−１（父）のユーザ端末装置４００−１と、ユーザＵ−２（母）のユーザ端末装置４００−２に対して送信する。
両親であるユーザＵ−１（父）とユーザＵ−１（母）は、受信された提供情報をユーザ端末装置４００−１にて表示させ、表示された内容を確認することで、子供の成長の様子を手軽に確認できる。また、提供情報において、食事に関する内容が関連付けられて提示されている場合には、ユーザＵ−１（父）とユーザＵ−１（母）が、子供の成長に関連して、子供の食生活が適切かどうかを確認し、食生活を向上させることもできる。
【００７０】
（第４例）
また、ユーザＵ−２（母）にとっては、自分に関する肌や体型等の美容に関して関心がある。そこで、本例としては、ユーザＵ−２（母）に対応して、美容に関する解析項目のフィードバック設定情報が設定されてよい。この場合のフィードバック設定情報における通知先情報が示す通知先は、例えばユーザＵ−２（母）のユーザ端末装置４００−２である場合を例に挙げる。
【００７１】
この場合の検出情報取得部２４１は、ユーザＵ−２（母）に対応する撮像画像、体重、体脂肪率などの検出情報を取得し、検出情報記憶部２５１に記憶させる。
解析部２４４は、記憶された検出情報における撮像画像を利用して、ユーザＵ−２（母）の肌の状態を判定する。また、解析部２４４は、記憶された検出情報における撮像画像、体重、体脂肪率等の情報を利用して、ユーザＵ−２（母）の体型に関する状態を判定する。このような体型に関する状態の判定のうちには、例えば年齢等に応じた標準体型（もしくは手動または自動で設定された目標体型）に対するユーザＵ−２（母）の体型の乖離度や、ユーザＵ−２（母）の日数経過に応じた変化等が含まれてよい。また、解析部２４４は、例えば、ユーザＵ−２（母）の食事の撮像画像から、ユーザの食事の内容（メニュー内容、カロリー、栄養素バランス、水分量、塩分量）等を認識し、認識した食事の内容を評価してよい。
そして、情報出力部２４５は、解析部２４４により判定された体型に関する情報や、食事の内容の評価結果や改善案等が反映された提供情報を生成し、生成された提供情報を、通知先情報が示すユーザＵ−２（母）のユーザ端末装置４００−２に送信する。これにより、ユーザＵ−２（母）は、日常生活において、自分の美容に関する情報を手軽に得て、自分の美容を高めることに役立てることができる。
【００７２】
（第５例）
また、ユーザＵ−４（祖父）に関しては、突然の体調不良や、転んで骨折などのけがを負ったことで、動けなくなってしまうようなことが心配される。そこで、１つの具体例として、ユーザＵ−４（祖父）が居住空間１０において動けなくなった状態にあるかどうかの判定を解析項目とするフィードバック設定情報を設定してよい。また、このフィードバック設定情報における通知先情報においては、例えばユーザＵ−４（祖父）息子、娘にあたるユーザＵ−１（父）やユーザＵ−２（母）等のユーザ端末装置４００−１、４００−２等が通知先として設定される。
【００７３】
この場合、検出情報取得部２４１は、ユーザＵ−４（祖父）が含まれる撮像画像、ユーザＵ−４（祖父）についての心拍数等をはじめとする生体情報としての検出情報を取得し、検出情報記憶部２５１に記憶する。
そのうえで、解析部２４４は、記憶された撮像画像としての検出情報を利用して、例えば、ユーザＵ−４についての異常の有無を判定する。例えば、ユーザＵ−４（祖父）がこれまで居住空間１０内を移動していた状態から、床に横臥するような状態となり、この際の脈拍等の生体情報が異常であると判定された。このような場合、解析部２４４は、ユーザＵ−４（祖父）に異常が発生したと判定する。また、この際、解析部２４４は、撮像画像からユーザＵ−４（祖父）の顔の表情について、例えば苦しそうな表情、あるいは痛みを感じていそうな表情であるか否かについて判定した結果についても、ユーザＵ−４（祖父）に異常が発生したか否かの判定に利用してよい。
【００７４】
解析部２４４によりユーザＵ−４（祖父）に異常が発生したと判定された場合、情報出力部２４５は、直ちに、通知先であるユーザＵ−１（父）及びユーザＵ−２（母）の各ユーザ端末装置４００−１、４００−２に対して、ユーザＵ−４（祖父）に異常が発生したことを通知する提供情報を送信する。ユーザＵ−１（父）及びユーザＵ−２（母）は、送信された提供情報としての通知を受けることで、迅速に対応することができる。
【００７５】
（第６例）
また、例えばユーザＵ−３（子供）が未だ新生児、乳児などのような場合（この場合、ユーザＵ−３はユーザ端末装置４００−３を所持しなくともよい）、ユーザＵ−３（子供）は泣き声、喃語、笑い声等により自分の欲求を外に伝えているといえる。例えば、このようなユーザＵ−３（子供）が泣く場合としては、例えばお腹が空いていたり、おむつがぬれていたり、抱っこしてもらいたいような場合を挙げることができる。
【００７６】
そこで、ユーザＵ−３（子供）が新生児や乳児である場合、ユーザＵ−３（子供）に対応して、ユーザＵ−３（子供）の欲求の推定を解析項目とするフィードバック設定情報が設定されてもよい。このようなフィードバック設定情報における通知先情報は、母親であるユーザＵ−２のユーザ端末装置４００−２を通知先として示すようにされてよい。さらには、家族における他の人員のユーザ端末装置４００も通知先として示すようにされてよい。あるいは、この場合の通知先情報が示す通知先は、居住空間１０において現在存在していることが確認されているユーザＵのユーザ端末装置４００とされてもよい。
【００７７】
この場合、検出情報取得部２４１は、ユーザＵ−３（子供）の音声信号を検出情報として取得し、検出情報記憶部２５１に記憶させる。また、検出情報取得部２４１は、ユーザＵ−３（子供）の撮像画像も検出情報として取得し、検出情報記憶部２５１に記憶させてもよい。撮像画像の検出情報は、例えばユーザＵ−３（子供）の動きや表情などの解析を行って、欲求の推定に利用できる。
解析部２４４は、上記のように得られた検出情報を利用して、ユーザＵ−３（子供）の欲求を推定する。また、ユーザＵ−３（子供）の欲求に応じた声の出し方、表情、動き方等は、個人ごとにパターンが異なる。そこで、この場合の解析部２４４は、学習により、対象のユーザＵ−３（子供）に応じた欲求の判定を行うようにすることが好ましい。
情報出力部２４５は、解析部２４４により判定されたユーザＵ−３（子供）の欲求を通知する内容の提供情報を生成し、通知先のユーザ端末装置４００に送信する。これにより、提供情報の通知を受けたユーザＵは、ユーザＵ−３（子供）の欲求を把握するにあたり、自分が現在確認しているユーザＵ−３（子供）の状態に加え、情報提供システムにより提供された欲求についての推定結果を参考にして判断することができる。
【００７８】
本実施形態の情報提供システムにおける提供情報の内容は、上記の各例のほかにも多様に考えられる。上記の各例において挙げられた提供情報は、広くはユーザの健康に関連する情報であるといえる。しかしながら、提供情報は、例えば、健康に関する以外の情報であってよい。例えば、ユーザＵについて解析した行動パターン等に応じて判定される趣味や嗜好等に応じた内容の提供情報であってもよい。
【００７９】
また、例えば居住空間１０における温度、湿度、空気清浄度等の空間環境を測定するセンサ１００を備え、これらのセンサ１００によって検出された空間環境の測定結果も、ユーザＵを対象とする解析に反映させてよい。
【００８０】
また、上記の各例では、人であるユーザＵを対象にして検出情報の取得、解析、提供情報の出力を行っている。しかしながら、例えば人以外のペット等の動物を対象にして検出情報の取得、所定の解析項目に対応する解析、提供情報の出力を行ってもよい。また、この場合のペットに対応するフィードバック設定情報の通知先情報によって示される通知先は、家族の人員のいずれかの１名以上のユーザＵのユーザ端末装置４００であればよい。
例えば、解析部２４４は、ペットとしての犬あるいは猫等の動物を対象とする場合、撮像画像や音声信号等の検出情報に基づいて、ペットの感情（飼い主に訴えたい内容）やペットの健康状態等を判定する。情報出力部２４５は、解析部２４４により判定されたペットの感情（飼い主に訴えたい内容）、あるいはペットの健康状態をユーザに知らせる内容の提供情報を生成し、ペットに対応するフィードバック設定情報の通知先情報により指定されたユーザ端末装置４００に提供情報を送信してよい。
【００８１】
なお、上記の例は、一定の空間が居住空間１０であり、家族の居住する戸建てまたはマンション等の住宅に対応する場合について説明した。しかしながら、本実施形態における一定の空間は、例えば、社員寮やシェアハウス等であってもよい。また、一定の空間は、オフィスなどであってもよい。
【００８２】
なお、上述の情報処理装置２００、ユーザ端末装置４００等としての機能を実現するためのプログラムをコンピュータ読み取り可能な記録媒体に記録して、この記録媒体に記録されたプログラムをコンピュータシステムに読み込ませ、実行することにより上述の情報処理装置２００、ユーザ端末装置４００等としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００８３】
１  情報提供システム、１０  居住空間、１００（１００−１〜１００−ｎ）  センサ、１０１  検出部、１０２  通信部、２００  情報処理装置、２０１  センサ対応通信部、２０２  ネットワーク対応通信部、２０３  入出力インターフェース部、２０４  制御部、２０５  記憶部、２４１  検出情報取得部、２４２  検出情報加工部、２４３  個人認識部、２４４  解析部、２４５  情報出力部、２５１  検出情報記憶部、２５２  解析情報記憶部、２５３  ユーザ情報記憶部、２５４  検出解析履歴記憶部、３００  入出力装置、４００（４００−１〜４００−ｎ）  ユーザ端末装置、４０１  通信部、４０２  制御部、４０３  記憶部、４０４  入力インターフェース部、４０５  出力インターフェース部、４２１  アプリケーション対応処理部
【図１】
2019191970.tif 000003
【図２】
2019191970.tif 000004
【図３】
2019191970.tif 000005
【図４】
2019191970.tif 000006
【図５】
2019191970.tif 000007
【図６】
2019191970.tif 000008
【図７】
2019191970.tif 000009